(57)【要約】【課題】  夜間作業でも、運転部側とは反対側の機体横側方を見やすいコンバインを構造簡単に得る。【解決手段】  刈取り前処理部１０に設けた前照灯２０Ｌを備えてある。前照灯２０Ｌの前方に設けた反射手段２６を備えてある。反射手段２６は、前照灯２０Ｌによる照射光の一部を走行機体の運転部５が位置する側とは反対側での横外側方の地面に向けて反射させる。【選択図】        図７
2008131868.tif 000002
【特許請求の範囲】
【請求項１】
刈取り前処理部に設けた前照灯と、前記前照灯による照射光の一部を走行機体の運転部が位置する側とは反対側での横外側方の地面に向けて反射させるよう前記前照灯の前方に設けた反射手段とを備えてあるコンバイン。
【請求項２】
前記刈取り前処理部に脱着自在な強制分草装置と、前記強制分草装置に設けた補助前照灯とを備え、
前記反射手段を、前記前照灯による照射光のうちの前記強制分草装置に当たる照射光を反射させるよう前記強制分草装置に設けてある請求項１記載のコンバイン。
【発明の詳細な説明】
【技術分野】
【０００１】
本発明は、コンバインに関する。
【背景技術】
【０００２】
コンバインにおいて、従来、たとえば特許文献１に示されるものがあった。特許文献１に示されたコンバインは、刈取り前処理部の横側に設けた側照灯を備えている。側照灯は、刈取り前処理部の運転部が位置する側とは反対側の横側方を照明する。
【０００３】
【特許文献１】特開２００６−５５０９４号公報（段落〔００３２〕−〔００３４〕、図１−３）
【発明の開示】
【発明が解決しようとする課題】
【０００４】
コンバインでは、一般に、自走機体の運転部が位置する側とは反対側の横外側に未刈り地が位置するようにして作業される。穀稈が長稈であると、機体横側方の植立穀稈が機体側に倒れかかりやすいことから、植立穀稈の機体への巻き込みを回避する注意深い運転が必要になる。このため、夜間作業の場合でも、運転部側とは反対側の機体横側方における状況の判断を行いやすいよう従来の照明技術を採用すると、横側方を照明する専用の照明灯が必要になっていた。
【０００５】
本発明の目的は、夜間作業でも運転部側とは反対側の機体横側方における状況の判断を行いやすいものでありながら、構造簡単に得ることができるコンバインを提供することにある。
【課題を解決するための手段】
【０００６】
本第１発明によるコンバインは、刈取り前処理部に設けた前照灯と、前記前照灯による照射光の一部を走行機体の運転部が位置する側とは反対側での横外側方の地面に向けて反射させるよう前記前照灯の前方に設けた反射手段とを備えてある。
【０００７】
本第１発明の構成によると、前照灯による照射光の一部を反射手段によって反射させ、この反射光によって走行機体の運転部側とは反対側での横外側方を照明することができる。
【０００８】
これにより、夜間作業の場合でも、運転部側とは反対側の機体横側方における状況を見やすく、穀稈の機体への巻き込みを回避しやすいなど有利に作業することができるものでありながら、前照灯を横側方の照明用に利用した構造簡単なものとし、安価に得ることができる。
【０００９】
本第２発明は、本第１発明の構成において、前記刈取り前処理部に脱着自在な強制分草装置と、前記強制分草装置に設けた補助前照灯とを備え、
前記反射手段を、前記前照灯による照射光のうちの前記強制分草装置に当たる照射光を反射させるよう前記強制分草装置に設けてある。
【００１０】
本第２発明の構成によると、前照灯による照明光の一部が強制分草装置に当たって前方照明に使用できなくても、補助前照灯によって前方照明を補い、前方照明の明るさを確保することができる。強制分草装置のために前方照明に使用できない照明光を反射手段によって反射させ、走行機体の運転部側とは反対側での横外側方の照明に使用できる。
【００１１】
これにより、強制分草装置を備えるものでありながら、前方照明の明るさを確保して運転しやすくすることができ、かつ、前照灯の強制分草装置に当たる照明光を走行機体横外側方の照明に使用し、前照灯による照明光を無駄なく使用できる。
【発明を実施するための最良の形態】
【００１２】
以下、本発明の実施例を図面に基づいて説明する。
図１は、本発明の実施例に係るコンバインの全体側面図である。この図に示すように、本発明の実施例に係るコンバインは、左右一対のクローラ式走行装置１，１を備えた走行機体と、この走行機体の機体フレーム２の前部に連結された刈取り前処理部１０と、前記機体フレーム２の後部側に設けた脱穀装置３および穀粒タンク４とを備えている。
【００１３】
このコンバインは、稲、麦などの穀粒を収穫する。
すなわち、図１，７に示すように、走行機体は、前記左右一対の走行装置１，１を備える他、前記機体フレーム２の前端部の刈取り前処理部１０が連結している側とは反対側の横端側に設けた運転部５を備えている。運転部５は、エンジンボンネットに兼用の座席支持台を介して機体フレーム２に支持された運転座席６を備えている。刈取り前処理部１０は、前記機体フレーム２に基部が連結された前処理部フレーム１１と、前記前処理部フレーム１１の前部を構成するとともに機体横方向に並んだ複数本の分草フレーム１２と、各分草フレーム１２の先端部に設けた分草具１３と、この分草具１３の後方に配置して前記前処理部フレーム１１に機体横方向に並べて設けた複数の引起し装置１４と、この引起し装置１４の後方に配置して前記前処理部フレーム１１に設けた一つのバリカン型の刈取り装置１５と、この刈取り装置１５の上方に配置して前記前処理部フレーム１１に設けた搬送装置１６と、前記複数の引起し装置１４のうちの運転部５から最も離れた引起し装置１４の機体横外側に設けた強制分草装置３０とを備えている。強制分草装置３０は、分草ケース３１と、この分草ケース３１から分草ケース前側の引起し経路に突出して引起し経路を上昇移動するよう分草ケース内に支持された複数本の分草爪３２と、前記引起し装置１４の駆動力を引起し装置１４の前カバー１４ａの上部から分草ケース３１の上部に導入する伝動ケース３３とを備えている。刈取り前処理部１０は、前記前処理部フレーム１１が昇降シリンダ１７によって機体フレーム２に対して上下に揺動操作されることにより、前記各分草具１３が地面の近くに位置した下降作業状態と、各分草具１３が地面から高く上昇した上昇非作業状態とに昇降操作される。刈取り前処理部１０を下降作業状態にして走行機体を走行させると、刈取り前処理部１０は、各分草具１３によって対応した刈り取り対象の穀稈列の植立穀稈を他の穀稈列の植立穀稈と分草して後方に導入し、運転部５から最も離れて位置する分草具１３からの刈り取り対象の植立穀稈を強制分草装置３０の分草爪３２によって非刈取り対象の植立穀稈と分草しながら後方に導入し、各分草具１３からの植立穀稈を対応する引起し装置１４によって引起し処理するとともに刈取り装置１５によって刈取り処理し、刈取り装置１５からの刈取り穀稈を搬送装置１６によって後方に搬送して脱穀装置３の脱穀フィードチェーン３ａに供給する。脱穀装置３は、脱穀フィードチェーン３ａによって刈取り穀稈の株元側を後方に挟持搬送しながら、その刈取り穀稈の穂先側を脱穀処理する。穀粒タンク４は、脱穀装置３からの脱穀粒を回収して貯留していく。
【００１４】
図１，２，７に示すように、刈取り前処理部１０は、前記複数の引起し装置１４のうちの最も機体左横外側に位置する引起し装置１４の上部の左横側と、前記複数の引起し装置１４のうちの最も機体右横外側に位置する引起し装置１４の上部の右横側とに振り分けて設けた左右一対の前照灯２０Ｌ，２０Ｒと、前記強制分草装置３０の上部に設けた補助前照灯２５と、前記左右一対の前照灯２０Ｌ，２０Ｒのうちの運転部５から遠い側に位置する前照灯２０Ｌの前方に設けた反射手段２６とを備えている。
【００１５】
図５は、前記各前照灯２０Ｌ，２０Ｒの分解状態での斜視図である。図６は、前記各前照灯２０Ｌ，２０Ｒの縦断側面図である。これらの図に示すように、前記各前照灯２０Ｌ，２０Ｒは、機体上下方向に並んだ上下一対のバルブ２１，２１と、一つの反射器２２と、一つのカバー２３とを備えて構成してある。反射器２２は、引起し装置１４の前記前カバー１４ａの前面に連なる穀稈支持面を形成するカバー１８に設けた前照灯組み付け凹部に装着してある。上下一対のバルブ２１，２１は、反射器２２に設けた上下一対の反射鏡部２４，２４に振り分けて支持させてある。カバー２３は、前記反射器２２および前記各バルブ２１を覆うよう形成して前記前照灯組み付け凹部に装着してある。このカバー２３は、反射鏡部２４およびバルブ２１からの光が透過しやすいよう透明になっている。
【００１６】
図３は、運転部５から遠い方の前照灯２０Ｌ、補助前照灯２５、反射手段２６が配設された部位の側面図である。図４は、運転部５から遠い方の前照灯２０Ｌ、補助前照灯２５、反射手段２６が配設された部位の平面図である。これらの図に示すように、運転部５から遠い方の前照灯２０Ｌによる照明光の一部は、強制分草装置３０の前記伝動ケース３３と分草ケース３１の上部とに当たり、機体前方の照明範囲に届かない。このため、前記補助前照灯２５は、前記前照灯２０Ｌと同様に機体前方に向けて照明光を照射し、前照灯２０Ｌによる前方照明を補った前方照明を行う。前記反射手段２６は、前記分草ケース３１の背後に設けた機体後方向きの反射鏡面で成り、前記前照灯２０Ｌによって照射された照明光の一部であって前記分草ケース３１に当たった照明光を走行機体の運転部５が位置する側とは反対側での横外側方の地面に向けて反射する。
【００１７】
図７は、前記左右一対の前照灯２０L，２０Ｒと、前記補助前照灯２５と、前記反射手段２６とによる照明範囲を示す平面図である。この図に示すように、運転部５から遠い方の前照灯２０Ｌと、前記補助前照灯２５とは、走行機体前方の地面に向けて照射し、照明範囲ＬＤと照明範囲ＡＤとを照明する。運転部５に近い方の前照灯２０Ｒは、走行機体前方の地面に向けて照射し、照明範囲ＲＤと照明範囲ＡＤとを照明する。照明範囲ＡＤは、運転部５から遠い方の前照灯２０Ｌと補助前照灯２５とによる照明と、運転部５に近い方の前照灯２０Ｒによる照明とが重なる照明範囲である。反射手段２６は、照明灯２０Ｌからの照明光の一部を後方向きに反射し、走行機体の横外側に位置する未刈り地の照明範囲ＢＤを照明し、図１，２の如く刈取り前処理部１０に位置するサイドミラー３４を利用することによって得られる走行機体横外側の視界を照明する。
【図面の簡単な説明】
【００１８】
【図１】コンバインの全体側面図
【図２】刈取り前処理部の正面図
【図３】前照灯、補助前照灯、反射手段の配設部の側面図
【図４】前照灯、補助前照灯、反射手段の配設部の平面図
【図５】前照灯の分解状態での斜視図
【図６】前照灯の縦断側面図
【図７】照明範囲を示す平面図
【符号の説明】
【００１９】
５        運転部
１０      刈取り前処理部
２０Ｌ    前照灯
２５      補助前照灯
２６      反射手段
３０      強制分草装置
【図１】
2008131868.tif 000003
【図２】
2008131868.tif 000004
【図３】
2008131868.tif 000005
【図４】
2008131868.tif 000006
【図５】
2008131868.tif 000007
【図６】
2008131868.tif 000008
【図７】
2008131868.tif 000009